(57)【要約】      （修正有）【課題】開孔用、鋸切断用及び使用長さが調整可能な鋸構造を提供する。【解決手段】鋸構造は、軸心方向に沿って線状溝１１が設けられ、線状溝１１が先端を貫通しているグリップ１０と、線状溝１１中に設置され、線状溝１１中で結合される移動及び位置決めユニット３０により線状溝１１に沿っての往復移動及び所望の位置への位置決めが制御される鋸切断刃２０とを備える。鋸切断刃２０の先端は開孔構造２１を有し、鋸切断刃２０の一辺は鋸歯部２２を有する。鋸切断刃２０の長さが線状溝１１の長さより短いため、鋸切断刃２０が線状溝１１に完全に収容される。鋸構造は案内孔の開設及び鋸切断の両機能を具備する。このため、１つのツールで被切断材に案内孔を開設し、鋸切断作業により最終的に開孔を形成させることができ、且つ鋸切断刃２０の完全な収容効果も達成させる。【選択図】図３
0003214828.tif 000002
【実用新案登録請求の範囲】
【請求項１】
軸心方向に沿って線状溝が設けられ、前記線状溝が先端を貫通しているグリップと、
前記線状溝中に設置され、前記線状溝中で結合される移動及び位置決めユニットにより前記線状溝に沿っての往復移動及び所望の位置への位置決めが制御され、先端には開孔構造を有し、鋸切断刃の一辺には鋸歯部を有し、長さが前記線状溝の長さより短い鋸切断刃とを備え、
前記所望の位置は、収容位置と、開孔位置と、鋸切断位置とを含み、前記収容位置にある場合、前記鋸切断刃が前記グリップ中に完全に収容され、前記開孔位置にある場合、前記鋸切断刃は前記開孔構造が前記グリップの先端から延出され、前記鋸切断位置にある場合、前記鋸切断刃は前記開孔構造及び前記鋸歯部が前記グリップの先端から延出されることを特徴とする開孔用、鋸切断用及び使用長さが調整可能な鋸構造。
【請求項２】
前記開孔構造は鋸切断刃の先端に成形される位置決め用最先端及び切断刃を備え、前記位置決め用最先端は被切断材に突き刺さるように位置決めされ、前記切断刃は前記位置決め用最先端を円心として前記位置決め用最先端の周りを回るように前記被切断材に対して円形切断を行い、これにより前記被切断材に円形案内孔が形成されることを特徴とする請求項１に記載の開孔用、鋸切断用及び使用長さが調整可能な鋸構造。
【考案の詳細な説明】
【技術分野】
【０００１】
本考案は、ハンドツールに関し、より詳しくは、開孔用、鋸切断用、鋸切断刃の使用長さが調整可能であり、及び鋸切断刃の完全収容等の機能を有する鋸に関する。
【背景技術】
【０００２】
室内装飾工程で常用される木板または他の板材(以下、化粧板と称する)は壁面の装飾に用いられ、化粧板はスイッチ或いはコンセントに対応する位置に穴が開けられる。但し、穴を開けることを忘れてしまうと、化粧板の装設が完了した後に、化粧板に穴を再び開設してスイッチやコンセントを露出させなければならなくなることがある。
【０００３】
化粧板の開孔作業としては、案内孔を予め設けることと、鋸切断との２つの工程を含む。案内孔を予め設けることは、開孔予定の位置に案内孔が予め設けられることを指し、鋸切断とは案内孔の間の隣接する化粧板に対して鋸切断を行い、最終的に化粧板に所定の範囲の開孔を形成させることを指す。
【０００４】
従来、開孔作業を行う場合は、２種類のハンドツールを使用し、先ず鋭い尖端を有するハンドツール(例えば、ドリル)により化粧板の穿孔を行って案内孔を予め設ける作業を実行し、続いて鋸により鋸切断を行う。
【考案の概要】
【考案が解決しようとする課題】
【０００５】
しかしながら、化粧板の穿孔時に力が入り過ぎると、案内孔の周辺の化粧板が割れたり、亀裂が入ったりすることがある。化粧板の鋸切断時には鋸刃の長さが不適切であると、作業が不便になり、鋸が変形して破断するという問題も生じる。
【０００６】
上述の開孔作業では２種類のハンドツールを交換して使用するため、作業が面倒であり、この問題を解決するため、業者は鋭い尖端を有する鋸構造を提供している。図１に示されるように、先ず鋭い尖端１により化粧板に対して案内孔を予め設ける作業を実行し、次いで鋸切断刃２により鋸切断を行う。しかしながら、このような開孔及び鋸切断機能を兼ね備える鋸は、鋸刃の長さが長すぎるため、案内孔を予め設ける作業が非常に不便になり、作業が困難になり、破断の問題が生じる。
【０００７】
また、従来の鋸も図１に図示する鋸も、共に鋸切断刃を保護し完全に収容する構造がなく、鋸を放置する場合や携帯する場合に、鋸の歯が外に露出されるため、気づかず自分や他人を傷付け、損傷させる潜在的な危険性があった。
【０００８】
そこで、本考案者は上記の欠点が改善可能と考え、鋭意検討を重ねた結果、合理的設計で上記の課題を効果的に改善する本考案の提案に到った。
【０００９】
かかる従来の実情に鑑みて、本考案は、鋸構造を提供することを目的とする。すなわち、開孔作業を行う際に２種類のハンドツールを交換して使用せねばならず、鋸切断刃は案内孔の開設を行うのが困難であり、鋸切断が不便であり、変形しやすく、更には断裂する恐れもあり、鋸切断刃が収容や携帯の際に保護されない等の問題を具体的に解決することを目的とする。
【課題を解決するための手段】
【００１０】
上述した課題を解決し、目的を達成するために、本考案に係る開孔用、鋸切断用及び使用長さが調整可能な鋸構造は、軸心方向に沿って線状溝が設けられ、前記線状溝が先端を貫通しているグリップと、前記線状溝中に設置され、前記線状溝中で結合される移動及び位置決めユニットにより前記線状溝に沿っての往復移動及び所望の位置への位置決めが制御される鋸切断刃とを備える。前記鋸切断刃の先端は開孔構造を有し、前記鋸切断刃の一辺は鋸歯部を有する。前記鋸切断刃の長さは前記線状溝の長さより短い。前述の所望の位置は収容位置と、開孔位置と、鋸切断位置とを含む。前記収容位置にある場合、前記鋸切断刃が前記グリップ中に完全に収容される。前記開孔位置にある場合、前記鋸切断刃は前記開孔構造が前記グリップの先端から延出される。前記鋸切断位置にある場合、前記鋸切断刃は前記開孔構造及び前記鋸歯部が前記グリップの先端から延出される。
【００１１】
考案２に記載の開孔用、鋸切断用及び使用長さが調整可能な鋸構造は考案１において、前記開孔構造は鋸切断刃の先端に成形される位置決め用最先端及び切断刃を備える。前記位置決め用最先端は被切断材に突き刺さるように位置決めされ、前記切断刃は前記位置決め用最先端を円心として前記位置決め用最先端の周りを回るように前記被切断材に対して円形切断を行い、これにより前記被切断材に円形案内孔が形成される。
【考案の効果】
【００１２】
前記開孔構造により、本考案は被切断材に案内孔を開設する機能を実現する。前記鋸歯部により、本考案は被切断材の案内孔の間での鋸切断作業を実現する。これにより、本考案に係る鋸構造は案内孔の開設及び鋸切断の両機能を具備し、１つのツールで被切断材に案内孔を開設し、鋸切断作業を実行して最終的に開孔を形成させることが可能になる。本考案に係る鋸構造を使用することで、開孔作業中にツールを交換する手間が省ける。
【００１３】
前記鋸切断刃は作業の需要に応じて位置及び使用長さを調整可能である。案内孔開設作業では、前記鋸切断刃が開孔位置に調整される。鋸切断作業では、前記鋸切断刃が適度な鋸切断位置に調整される。作業時以外は、前記鋸切断刃が収容位置に調整され、前記鋸切断刃が前記グリップにより完全に保護される。
【００１４】
前記鋸切断刃の長さが前記線状溝の長さより短いという特徴を有し、前記鋸切断刃の長さを調整させる手段により、前記鋸切断刃の使用上の困難さを具体的に軽減させ、且つ安全性も高める。
【００１５】
案内孔開設作業を行う場合、前記鋸切断刃は前述の開孔位置に位置され、鋸切断刃による作業時のモーメントアーム及びねじりモーメントが最小まで縮減され、鋸切断刃が前記グリップにより十分に支持される。これにより、固定点で安定的に回転切断を行えるようになり、案内孔開設作業中に過大な力が不要になり、同時に鋸切断刃の変形や破断の危険性もなくなる。
【００１６】
鋸切断作業を行う際、前記鋸切断刃の長さが前記線状溝の長さより短いという特徴により、鋸切断刃の強度、剛性、及び鋸切断力が増加する。
【図面の簡単な説明】
【００１７】
【図１】従来の先端を有する鋸を示す図である。
【図２】本考案に係る鋸を説明する正面図（一）である。
【図３】本考案に係る鋸を説明する正面図（二）である。
【図４】本考案に係る鋸を説明する正面図（三）である。
【図５】本考案の鋸構造が開孔構造により化粧板に予め案内孔を設ける概略図である。
【図６】本考案の鋸構造が鋸切断刃により予め設けた案内孔を通過して化粧板の鋸切断をする概略図である。
【図７】本考案の鋸構造が鋸切断刃により鋸切断をする概略図である。
【図８】本考案の鋸構造が被切断材に案内孔を形成する概略図である。
【図９】本考案の鋸構造が被切断材の鋸切断を行い、開孔を形成する概略図である。
【考案を実施するための形態】
【００１８】
以下に図面を参照して、本考案を実施するための形態について、詳細に説明する。なお、本考案は、以下に説明する実施形態に限定されるものではない。また、実施形態では、各種の部材が、その実際の比率でなく、説明を便宜にする比率、サイズや移動量に従って示されていることを事前に説明する。
＜実施形態＞
【００１９】
まず、図２〜４を参照しながら、本考案の鋸構造をさらに詳しく説明する。本考案の鋸構造は、グリップ１０及び鋸切断刃２０を備える。
【００２０】
前記グリップ１０は軸心方向に沿って線状溝１１が設けられ、前記線状溝１１は前記グリップ１０の先端１２を貫通している。
【００２１】
鋸切断刃２０は前記線状溝１１中に設置され、前記線状溝１１中で結合される移動及び位置決めユニット３０により前記鋸切断刃２０は前記線状溝１１に沿っての往復移動または所望の位置への位置決めが制御される。前記鋸切断刃２０の先端は開孔構造２１を有し、前記鋸切断刃２０の一辺は鋸歯部２２を有する。前記開孔構造２１は鋸切断刃２０の先端に成形される位置決め用最先端２１１及び切断刃２１２を備える。
【００２２】
前述の所望の位置は、収容位置Ｐ１と、開孔位置Ｐ２と、鋸切断位置Ｐ３とを含む。図２に示されるように、前記収容位置Ｐ１にある場合、前記鋸切断刃２０が前記線状溝１１中に完全に収容される。図３に示されるように、前記開孔位置Ｐ２にある場合、前記鋸切断刃２０は前記開孔構造２１が前記グリップ１０の先端１２から延出される。図４に示されるように、前記鋸切断位置Ｐ３にある場合、前記鋸切断刃２０は前記開孔構造２１及び前記鋸歯部２２が前記グリップ１０の先端１２から延出される。
【００２３】
また、本考案に係る鋸構造は鋸切断刃２０の長さＬ１が前記線状溝Ｌ２の長さより短いという特徴を有し、主に前記鋸切断刃２０の長さを縮小させる方式により、前記鋸切断刃２０のモーメントアーム及びねじりモーメント（トルク）を具体的に縮減させ、鋸切断刃２０の強度及び剛性を増加させ、鋸切断刃２０が使用中に断裂する確率を低下させる。
【００２４】
図２は、前記鋸切断刃２０が収容位置Ｐ１にある場合を図示し、前記開孔構造２１及び鋸歯部２２が前記線状溝１１中に完全に隠され、前記グリップ１０により前記鋸切断刃２０が保護されることにより、外に露出されて自分や他人を傷つけ、損傷する恐れがなくなる。
【００２５】
なお、図３、図５及び図８は前記開孔構造２１が被切断材４０に対してどのように案内孔開設作業を実行するかを示す。前記鋸切断刃２０が前記開孔位置Ｐ２にくるように調整され、前記位置決め用最先端２１１が前記被切断材４０の表面に突き刺さるように位置決めされ、前記切断刃２１２が前記被切断材４０の表面に接触され、前記グリップ１０が回転することにより、鋸切断刃２０全体が連動されて前記位置決め用最先端２１１を円心として回転を行う。前記切断刃２１２が前記位置決め用最先端２１１の周りを回るように回転することにより、前記被切断材４０に対する円形切断が実施され、円形切断により形成される円形片が前記被切断材４０から脱離することで終了する。これにより、前記被切断材４０に円形案内孔４１が形成される。図８に示されるように、上述の方式により前記被切断材４０の所定の位置に所定の数量の案内孔４１が形成される。
【００２６】
案内孔開設作業が実行される際、前記鋸切断刃２０は前述の開孔位置Ｐ２に位置される。即ち、前記開孔構造２１が前記グリップ１０の先端１２から突出され、鋸歯部２２は全部或いは大部分が前記線状溝１１中に位置する。これにより、鋸切断刃２０による作業のモーメントアーム及びねじりモーメントが最小に縮減され、鋸切断刃２０が前記グリップ１０に十分に支持される。よって、固定点での回転切断が安定的に実施され、且つ案内孔開設作業に過大な力を必要とせず、同時に鋸切断刃２０も変形や破断しなくなる。
【００２７】
図４、図６、図７、図８及び図９に示されるように、前記被切断材４０に複数の案内孔４１が予め設けられた後、２つの案内孔の被切断材４０に対して鋸切断が行われる。この際、鋸切断刃２０が適切な鋸切断位置Ｐ３に調整され、即ち、前記鋸切断刃２０の鋸歯部２２が全部或いは一部が前記グリップ１０の先端１２から延出される。前記鋸切断刃２０の先端が前記案内孔４１の中に進入し、前記鋸歯部２２が案内孔４１から前記被切断材４０の鋸切断を開始させ、前記被切断材４０の２つの隣接する案内孔４１の間に鋸切断面４２が形成される。同時に図９を参照すると、隣接する案内孔４１の間に鋸切断面４２が形成された後、前記鋸切断面４２により囲まれることで形成される破片４３が前記被切断材４０から脱離し、前記被切断材４０に開孔４４が形成される。
【００２８】
鋸切断作業が行われる際、前記鋸切断刃２０の長さＬ１が前記線状溝Ｌ２の長さより短いという特徴により、前記鋸切断刃２０の長さ、モーメントアーム及びねじりモーメントが具体的に縮減され、鋸切断刃２０の強度及び剛性が増加し、鋸切断刃２０が断裂しにくくなり、同時に前記鋸切断刃２０の鋸切断力も増強される。
【００２９】
上述の実施形態は本考案の技術思想及び特徴を説明するためのものにすぎず、当業者に本考案の内容を理解させると共にこれをもって実施させることを目的とし、本考案の実用新案登録請求の範囲を限定するものではない。従って、本考案の趣旨を逸脱せずに行われた各種の同様の効果をもつ改良又は変更は、実用新案登録請求の範囲に含まれるものとする。
【符号の説明】
【００３０】
１０  グリップ
４２  鋸切断面
１１  線状溝
４３  破片
１２  先端
４４  開孔
２０  鋸切断刃
２１  開孔構造
２１１  位置決め用最先端
２１２  切断刃
２２  鋸歯部
３０  移動及び位置決めユニット
４０  被切断材
４１  案内孔
Ｌ１  鋸刃長さ
Ｌ２  線状溝長さ
Ｐ１  収容位置
Ｐ２  開孔位置
Ｐ３  鋸切断位置
【図１】
0003214828.tif 000003
【図２】
0003214828.tif 000004
【図３】
0003214828.tif 000005
【図４】
0003214828.tif 000006
【図５】
0003214828.tif 000007
【図６】
0003214828.tif 000008
【図７】
0003214828.tif 000009
【図８】
0003214828.tif 000010
【図９】
0003214828.tif 000011